(57)【要約】      （修正有）【課題】アルミ等の金属を使用することなく防湿性及び保香性を確保できる飲食物収容袋を提供する。【解決手段】飲食物を収容する紙製の収容袋であり、紙基材の内面に湿気及び臭いを遮断する非金属バリア層が一体化されて成るシート本体１５と、シート本体１５の内面に設けられ、非金属バリア層１４を保護するための樹脂製の保護層１６と、を有する積層構造のシート材１１の周囲を溶着して袋状に成形される。【選択図】図３
0003217828.tif 000002
【実用新案登録請求の範囲】
【請求項１】
飲食物を収容する紙製の収容袋であり、
紙基材の内面に湿気及び臭いを遮断する非金属バリア層が一体化されて成るシート本体と、
前記シート本体の内面に設けられ、前記非金属バリア層を保護するための樹脂製の保護層と、
を有する積層構造のシート材の周囲を溶着して袋状に成形されたことを特徴とする飲食物収容袋。
【請求項２】
前記非金属バリア層は、更に酸素を遮断する機能を備えていることを特徴とする請求項１に記載の飲食物収容袋。
【請求項３】
前記保護層は、前記シート本体の前記非金属バリア層上にポリエチレン系又はポリプロピレン系の樹脂をコーティングすることによって形成されることを特徴とする請求項１又は２に記載の飲食物収容袋。
【請求項４】
前記シート本体の外表面に樹脂製の外層を更に備えることを特徴とする請求項１から３のいずれか一項に記載の飲食物収容袋。
【考案の詳細な説明】
【技術分野】
【０００１】
本考案は、日本茶、紅茶、抽出型のティーバッグ、コーヒー、流動フードや固形フード等、各種の飲食物を収容するための飲食物収容袋に関する。
【背景技術】
【０００２】
従来、例えば、特許文献１に開示されているように、日本茶や紅茶などの茶葉を効率よく注出するための平型のティーバッグが知られている。通常、ティーバッグは、透水性を有する不織布に茶葉を封入した構成となっており、一端部にタグが取り付けられた糸が連結された構成となっている。そして、このようなティーバッグは、１個ずつ袋状のティーバッグ収容袋（飲食物収容袋；以下、収容袋とも称する）に収容されており、収容袋をカット線で引き裂いて取り出し、ティーカップに設置して湯を注ぐことで使用される。
【０００３】
一般的に、前記ティーバッグを収容している収容袋は、シート材を重ね、周囲を溶着した矩形形状で構成されており、前記シート材は、紙基材の内面に、防湿機能があり、かつ、茶葉の香りを逃さないバリア層（紙基材の内面にアルミ箔をラミネートしたり、紙基材にアルミを蒸着したフィルムをラミネートすることで形成される）を有する構造となっている。また、茶葉、コーヒー（コーヒー豆、コーヒー豆を挽いた粉状のコーヒーを含む）を収容する収容袋も同様な構成となっている。
【先行技術文献】
【特許文献】
【０００４】
【特許文献１】特開２００６−２１８１９号公報
【考案の概要】
【考案が解決しようとする課題】
【０００５】
しかしながら、紙基材の内面に防湿、保香機能のあるアルミを使用することは環境問題を考慮すると適切ではない。すなわち、ティーバッグやコーヒー等の飲食物を取り出した後の収容袋は、廃棄処分されることとなるが、本来、アルミと紙基材は分別する必要があるものの、アルミと紙基材が密着して一体化されている収容袋では、このような分別作業をすることは不可能であり、環境上、好ましくはない。
【０００６】
本考案は、上記した問題に着目してなされたものであり、アルミ等の金属を使用することなく防湿性及び保香性を確保できる飲食物収容袋を提供することを目的とする。
【課題を解決するための手段】
【０００７】
上記した目的を達成するために、本考案の飲食物収容袋は、紙製で構成されており、紙基材の内面に湿気及び臭いを遮断する非金属バリア層が一体化されて成るシート本体と、前記シート本体の内面に設けられ、前記非金属バリア層を保護するための樹脂製の保護層と、を有する積層構造のシート材の周囲を溶着して袋状に成形されたことを特徴とする。
【０００８】
上記した構成の飲食物収容袋は、シート本体が、紙基材の内面に湿気及び臭いを遮断する非金属バリア層を備えており、この非金属性のバリア層が防湿性及び防臭性を有するため、従来のように紙基材の内面に防湿用のアルミ箔をラミネートしたり、アルミを蒸着したフィルムをラミネートする必要がなくなる。したがって、アルミ廃棄に伴う問題が生じることなく、しかも、シート本体が紙を主体として構成されるため、環境に優しく、加工し易いとともに、多様な原紙を選択して使用することもできる。
【０００９】
また、上記した構成では、非金属バリア層を保護するための樹脂製の保護層が設けられるため、非金属バリア層の脱落や劣化を防止でき、シート本体が保有する防湿性及び防臭性を長期間にわたって維持できるとともに、シート本体同士を溶着して、ティーバッグ、コーヒー、茶葉、更には、香りが維持でき防湿性が要求される各種の飲食物（例えば、流動タイプのフード、ドライフード等）を収容する収容袋を容易に成形することが可能となる。
【考案の効果】
【００１０】
本考案によれば、アルミ等の金属を使用することなく防湿性及び保香性を確保できる飲食物収容袋を提供できる。
【図面の簡単な説明】
【００１１】
【図１】本考案の一実施形態に係る飲食物収容袋の展開図。
【図２】飲食物収容袋（ティーバッグ収容袋）の平面図。
【図３】飲食物収容袋の層構造の一例を示す概略断面図。
【図４】飲食物収容袋の層構造の他の例を示す概略断面図。
【考案を実施するための形態】
【００１２】
以下、図面を参照して、本考案の一実施形態について説明する。
図１及び図２には、ティーバッグ１を収容する収容袋１０が示されている。なお、本実施形態で図示する収容体は、ティーバッグを収容するものとして説明するが、図に示す内部空間Ｓには、コーヒー、茶葉などの各種飲料物、更には、保香性、防湿性が要求される各種の食料物（以下、これらを総称して飲食物と総称する）を収容しても良い。
【００１３】
図に示すように、本実施形態の収容袋１０は、後述する積層構造を有する矩形状のシート材（紙製バリア包装材料）１１を重ね、その周囲（両側端部内面１１ａ，１１ｂ、及び、上下端部内面１１ｃ，１１ｄの斜線部分）を溶着等することで袋状に成形されている。この場合、収容袋１０は、１枚のシート材１１の中央部１１Ａを折り畳むことで袋状に構成しても良いし、２枚のシート材を重ね、周囲を溶着することで袋状に構成したものであっても良い。本実施形態に係る収容袋１０は、重ねたシート材１１の側縁及び上縁を溶着したいわゆる三方袋で構成されており、一方の側縁の上縁側には、内部空間Ｓを開放するように切り裂きが容易に行える切欠部１２が形成されている。
【００１４】
なお、シート材１１の内部に収容されるティーバッグ１は、公知のように、茶葉を収容した透水性のある不織布３と、一端部にタグ５が取り付けられて不織布３に連結される糸４とを備えた構成となっている。このようなティーバッグ１の内部空間Ｓへの収容は、重ねたシート材の周囲を溶着するに際して、その一部を開口しておき、内部空間Ｓに封入した後、開口部分を溶着することで行なっても良いし、ティーバッグ１を内部空間Ｓの部分に位置付けした状態で周囲を溶着して行なっても良い。
【００１５】
図３に示されるように、収容袋１０を構成する積層構造のシート材１１は、紙基材１３の内面に湿気及び臭いを遮断する非金属バリア層１４が一体化されて成るシート本体１５と、このシート本体１５の内面に設けられる樹脂製の保護層１６とを有する。この場合、保護層１６は、シート本体１５の非金属バリア層１４上に、樹脂材料、例えば、ポリエチレン系又はポリプロピレン系の樹脂等をラミネートすることによって形成される。この保護層１６は、収容空間Ｓ内に収容されるティーバッグから非金属バリア層１４を保護する機能を備えると共に、製袋時において、シート材同士を熱溶着させる機能を備える。
【００１６】
前記シート本体１５を構成する紙基材１３は、様々な原紙（一般的な植物繊維製のもの等）を用いることができ、非金属バリア層１４の構成材料としては、フレーバーバリア性の効果を備えたＰＶＡ（ポリビニルアルコール）等の材料に、防湿性の効果を備えた、例えばカオリン等の顔料などの材料を用いることができる。この場合、非金属バリア層１４は、紙基材１３に対して、表面に積層して一体化することが可能である。
【００１７】
なお、上記したような機能が発揮されるシート本体１５としては、例えば、日本製紙株式会社の「シールドプラス（登録商標）プレミア」を用いることが可能である。このような素材は、紙基材１３に積層される非金属バリア層１４が、水蒸気を遮断する機能（防湿性）、フレーバーバリア性（防臭性、保香性）を発揮する機能を備えており、更には、そのような機能に加えて、酸素を遮断する機能を備えたものであることが好ましい。
【００１８】
収容袋１０を構成するシート材については、例えば、図４に示すような積層構造を備えていても良い。この例のシート材１１Ａは、図３に示される層構造に加え、シート本体１５（紙基材１３）の外表面に、水分を浸透させないように、樹脂製の外層１８を更に備えた構造となっている。
【００１９】
本実施形態の収容袋１０は、シート本体１５が湿気及び臭いを遮断する非金属バリア層１４を備えており、非金属性のバリア層１４が防湿性及び防臭性を有するため、従来のように紙基材１３の内面に防湿用のアルミ箔をラミネートしたり、アルミを蒸着したフィルムをラミネートする必要がなく、したがって、アルミ廃棄に伴う問題が生じることはない。しかも、シート本体１５が紙を主体として構成されるため、環境に優しく、加工し易いとともに、多様な原紙を選択して使用することができる。
【００２０】
また、本実施形態によれば、非金属バリア層１４を保護するための樹脂製の保護層１６が設けられるため、非金属バリア層１４の脱落や劣化を防止でき、シート本体１５が保有する防湿性及び防臭性を長期間にわたって維持できる。
【００２１】
以上、本考案の実施形態について説明したが、本考案は、上記した実施形態に限定されず、その要旨を逸脱しない範囲で種々変形して実施できる。例えば、シート材を構成する層の数は、収容する飲食物の形態に応じて任意に設定でき、シート本体が防湿性及び防臭性以外の機能を兼ね備えても構わない。また、本実施形態では、切欠部を介してティーバッグを取り出すように構成したが、フラップ形態にしてティーバッグを取り出すような構成であっても良い。更に、収容袋に関しては、収容される飲食物に応じてガゼット袋としたり、矩形以外の形状で構成しても良い。
【符号の説明】
【００２２】
１  ティーバッグ
１０  収容袋
１１，１１Ａ  シート材
１３  紙基材
１４  非金属バリア層
１５シート本体
１６  保護層
【図１】
0003217828.tif 000003
【図２】
0003217828.tif 000004
【図３】
0003217828.tif 000005
【図４】
0003217828.tif 000006
【手続補正書】
【提出日】平成30年7月4日(2018.7.4)
【手続補正１】
【補正対象書類名】実用新案登録請求の範囲
【補正対象項目名】全文
【補正方法】変更
【補正の内容】
【実用新案登録請求の範囲】
【請求項１】
飲食物を収容する紙製の収容袋であり、
紙基材の内面に湿気、臭い及び酸素を遮断する非金属バリア層が一体化されて成るシート本体と、
前記シート本体の内面に設けられ、前記非金属バリア層を保護するための樹脂製の保護層と、
を有する積層構造のシート材の周囲を溶着して袋状に成形されたことを特徴とする飲食物収容袋。
【請求項２】
前記保護層は、前記シート本体の前記非金属バリア層上にポリエチレン系又はポリプロピレン系等の合成樹脂をコーティングすることによって形成されることを特徴とする請求項１に記載の飲食物収容袋。
【請求項３】
前記シート本体の外表面に樹脂製の外層を更に備えることを特徴とする請求項１又は２に記載の飲食物収容袋。
【手続補正２】
【補正対象書類名】明細書
【補正対象項目名】００１７
【補正方法】変更
【補正の内容】
【００１７】
なお、上記したような機能が発揮されるシート本体１５としては、例えば、日本製紙株式会社の「シールドプラス（登録商標）プレミア」を用いることが可能である。このような素材は、紙基材１３に積層される非金属バリア層１４が、水蒸気を遮断する機能（防湿性）、フレーバーバリア性（防臭性、保香性）を発揮する機能を備えており、更には、そのような機能に加えて、酸素を遮断する機能を備えている。